(57)【要約】【課題】集団健診等で用いられる複数の眼底カメラ等の眼科機器に対し、簡単にかつ正確に撮影条件等の設定を行う。【解決手段】図１は本発明を実施した場合の装置の構成図を示し、眼底カメラ１には、被検眼眼底を撮像するＣＣＤカメラ２が付設されている。ＣＣＤカメラ２の出力は、撮像された眼底像をＡ／Ｄ変換した後に一時記憶するメモリ及びその他種々の演算機能を有する演算処理部３に接続され、演算処理部３には、画像等を表示するモニタ４、画像データを保存、管理するための画像データベース５が接続されている。眼底カメラ１には、設定情報を眼底カメラ１に指示する設定指示部６を介して設定情報読込部７が接続されている。設定情報読込部７は設定情報ファイルを記録した光磁気ディスクＤを読み込むようになっている。【選択図】　　　　図１
2004141562.tif 000002
【特許請求の範囲】
【請求項１】
機器の設定情報を記憶する機器設定情報記憶手段と、該機器設定情報記憶手段に記憶されている設定情報に基づいて、前記機器の設定を行う設定手段とを有することを特徴とする眼科装置。
【発明の詳細な説明】
【０００１】
【発明の属する技術分野】
本発明は、集団健診等で用いられる眼底カメラ等の眼科装置に関するものである。
【０００２】
【従来の技術】
従来から、集団健診においては、主に高血圧症や糖尿病等の成人病疾患のスクリーニング目的で眼底撮影が行われている。
【０００３】
この集団健診には、企業や学校等で行われる健診や、その地区の住民を対象とした住民健診など様々な種類があり、日々大量の眼底画像が発生している。
【０００４】
【発明が解決しようとする課題】
しかしながら健診で発生した大量の被検眼画像データは、健診を請け負う健診業者が混同することなく整理し、読影医に確実に受け渡さなければならない。
【０００５】
通常の集団健診においては、
▲１▼健診場所
▲２▼片眼のみ、両眼撮影、撮影部位等の撮影方法
▲３▼撮影光量
▲４▼被検者番号の決め方
の各情報が健診ごとに異なって設定される。
【０００６】
従来からこれらの設定は、使用する眼底カメラごとに個々に設定しているが、通常、１回の健診に複数台の眼底カメラが使用されるため、設定に際しては操作の手間がかかり、また誤った設定をしてしまうことがある。
【０００７】
本発明の目的は、上述の問題点を解消し、複数台の眼科機器に対しての各種設定を容易にかつ短時間で行える眼科装置を提供することにある。
【０００８】
【課題を解決するための手段】
上記の目的を達成するための本発明に係る眼科装置は、機器設定情報記憶手段に記憶されている設定情報に基づいて、設定手段により機器の設定を行う。
【０００９】
【発明の実施の形態】
本発明を図示の実施の形態に基づいて詳細に説明する。
図１は本発明を実施した場合の装置の構成図を示し、眼底カメラ１には、被検眼眼底を撮像するＣＣＤカメラ２が付設されている。ＣＣＤカメラ２の出力は、撮像された眼底像をＡ／Ｄ変換した後に一時記憶するメモリ及びその他種々の演算機能を有する演算処理部３に接続され、演算処理部３には、画像等を表示するモニタ４、画像データを保存、管理するための画像データベース５が接続されている。眼底カメラ１には、設定情報を眼底カメラ１に指示する設定指示部６を介して設定情報読込部７が接続されている。設定情報読込部７は設定情報ファイルを記録した光磁気ディスクＤを読み込むようになっている。
【００１０】
図２は実施手順のフローチャート図である。撮影に先立ち、設定情報ファイルを手順に従って作成する。集団健診においては、一般に次のようにそれぞれの項目について、個々の健診で設定が異なる。
【００１１】
健診場所について：企業健診や学校健診或いは住民健診においては、出張して健診を行う必要があるため、各健診毎で健診場所が異なる。従って、何処で健診したかは重要な情報であり、撮影画像には健診場所情報を記録しておく必要がある。
【００１２】
撮影方法について：糖尿病や高血圧症などの成人病健診や緑内障健診、また若年層が多い企業健診などにより撮影方法も異なる。例えば、企業健診など多くが健常者であると思われる場合には片眼のみ、逆に多くが高齢者であると思われる住民健診などでは左右両眼撮影となる。また、緑内障健診の場合には、主に視神経乳頭部周辺の所見が重要となるため、拡大撮影を行うこととなる。
【００１３】
撮影光量について：撮影する際のストロボ光量は被検眼眼底の反射率により異なる。例えば、黒人や黄色人種に比べて白人は反射率が高いため、一般に光量は低くして撮影する。
【００１４】
被検者番号の設定について：被検者番号は撮影対象により、企業健診の場合には社員番号をそのまま使い、被検者番号の一部に企業コード、事業所コード等を用いる。また、住民健診の場合には被検者番号の一部に地域コードを用いる。
【００１５】
例えば、次表のような前記各項目に対する眼底カメラへの設定情報を、光磁気ディスクＤ内に設定情報ファイルとして作成する。
【００１６】
表
設定項目　　　　　　　　　　　　設定値
撮影場所　　　　　　　　　　Ｋ市産業文化会館
撮影光量　　　　　　　　　　　　　標準
被検者番号の更新　　　　　　　　左右眼撮影後
被検者番号の書式　　　　　　　上位５桁固定
【００１７】
この表において、撮影場所は健診を行う場所の名称或いはコード等を記載する。表では「Ｋ市産業文化会館」のように実際の場所名称を記載した例を示したが、「１０００１２３」等の場所コードとしてもよい。撮影光量は「標準」とした例を示したが、「Ｆ＋１」や「１２」等の光量番号で設定しても支障はない。被検者番号の更新に関しては、「左右眼撮影後」の場合を例に挙げたが、単に「撮影後」或いは「拡大撮影後」としてもよい。被検者番号の書式については、固定桁の指定ばかりでなく、設定時に「１２３４＋カウンタ値」というように具体的な値を記載するようにすることもできる。
【００１８】
上述の例では、設定項目を具合的な名称で記載する例を挙げたが、設定項目コードとして、「０００１」等のコードで表すようにしてもよい。
【００１９】
設定情報ファイルは表の情報がＰＣ（パーソナルコンピュータ）等のエディタを用いて作成され、例えばＤＯＳ形式のファイル（＊＊＊＊＊＊＊＊．ｄａｔ等）として生成される。なお、設定情報ファイルの生成はＰＣに限らず、眼底カメラ１内の図示しないキーボード等の入力機器から作成するようにすることもできる。
【００２０】
設定情報読込部７は設定情報ファイルを作成された設定情報ファイルを記録した光磁気ディスクＤから読み込み、設定情報データを図示しないメモリに記憶する（ステップ１）。
【００２１】
次に、設定指示部６は設定情報読込部７から読み込まれた設定情報が記憶されているメモリから設定情報を読み出し、眼底カメラ１に対し各設定の指示を行う（ステップ２）。設定が指示された眼底カメラ１は、その指示に従って値の設定等を行う。
【００２２】
ここまでが撮影を行うに当り、事前に行う眼底カメラ１のセットアップであり、実際に健診が始まり被検者がくると、撮影者は被検者ＩＤ、氏名、生年月日等の被検者に関する情報を、眼底カメラ１内の情報入力部から入力する（ステップ３）。なお、情報入力部からの入力は撮影の前に限らず、被検眼眼底撮影後に入力するようにしてもよい。
【００２３】
被検者の情報が入力された後に、撮影者は被検眼の視線誘導による撮影部位の決定及びピント合わせ等を行った後に、眼底カメラ１上の図示しない撮影スイッチを押下することにより、被検眼眼底の撮影を行う（ステップ４）。
【００２４】
これにより、眼底カメラ１内のストロボが発光し、被検眼眼底像をＣＣＤカメラ２により撮像する。ＣＣＤカメラ２から出力される眼底画像信号は、演算処理部３内のＡ／Ｄコンバータによってデジタル信号に変換された後にメモリに記憶され、更にモニタ４上に表示される。
【００２５】
メモリ上の画像は、ステップ３で入力された被検者情報を付加した上で、画像データベース５に登録される。
【００２６】
ここでの健診が終了し、他の健診会場に眼底カメラ１が移動された場合であっても、上述の手順により予め作成された設定情報ファイルを用いて、次の健診に合うように眼底カメラ１の設定を変更した後に健診を開始する。
【００２７】
他の実施の形態として、先の実施の形態で示したように、撮影画像を画像データベース５に記録するだけでなく、撮影画像を設定情報ファイルが記録された光磁気ディスクＤに記録するようにしてもよい。
【００２８】
ここでは、設定ファイルを光磁気ディスクＤに記録する場合を例に挙げて説明したが、これに限ることなく、メモリカードや可搬型ハードディスク等の媒体に記録することもできる。
【００２９】
上述の実施の形態では、眼底カメラ１の場合を例に挙げて説明したが、これに限ることなく、スリットランプ（細隙灯顕微鏡）や視野計、眼屈折計等、更には他の眼科機器においても同様の効果が得られることは云うまでもない。
【００３０】
本発明の実施の形態をまとめて次に列挙する。
【００３１】
［実施の形態１］　機器の設定情報を記憶する機器設定情報記憶手段と、該機器設定情報記憶手段に記憶されている設定情報に基づいて、前記機器の設定を行う設定手段とを有することを特徴とする眼科装置。
【００３２】
［実施の形態２］　前記機器は眼底カメラであることを特徴とする実施の形態１に記載の眼科装置。
【００３３】
［実施の形態３］　前記機器設定情報記憶手段は前記眼底カメラで撮影した画像データの記録媒体であることを特徴とする実施の形態２に記載の眼科装置。
【００３４】
【発明の効果】
以上説明したように本発明に係る眼科装置は、予め眼底カメラ等の眼科機器の設定情報を光磁気ディスク等の媒体に設定情報ファイルとして作成しておき、この設定情報ファイルから眼科機器の設定を行うように構成したので、例えば集団健診における眼底撮影など、使用される複数の機器の設定を一度に同じ設定にしなければならないような場合において、短時間で容易にかつ正確に設定が行える。
【００３５】
また、設定情報ファイルを撮影画像を記録する媒体に格納しておくことにより、設定用としての特別な機器を使用せずに、簡便に設定を行うことが可能となる。
【図面の簡単な説明】
【図１】装置の構成図である。
【図２】動作のフローチャート図である。
【符号の説明】
１　眼底カメラ
２　ＣＣＤカメラ
３　演算処理部
４　モニタ
５　画像データベース
６　設定指示部
７　設定情報読込部
Ｄ　光磁気ディスク
【図１】
2004141562.tif 000003
【図２】
2004141562.tif 000004